(57)【要約】【課題】予め録音された音声により被検体の状態を的確に制御して、正確な医用画像を撮影すること。【解決手段】出力時間調整部３８ａは、同一指示内容を表す音声が異なる言語ごとに登録される際に、操作者が要望する出力時間に調整して、音声データ記憶部３８ｂに登録する。音声出力制御部３８ｃは、入力装置３１が受け付けた操作者からの音声出力指示に基づいて、操作者が要望する指示内容に対応し、かつ、被検体Ｐが理解可能な言語に対応する音声データを音声データ記憶部３８ｂから取得して出力装置３２のスピーカから出力するように制御する。【選択図】図２
2010264016.tif 000002
【特許請求の範囲】
【請求項１】
所定の出力部から出力された音声により指示を与えることで被検体の状態を制御して、当該被検体の医用画像を生成する医用画像診断装置であって、
前記音声が前記所定の出力部から出力された場合に要する出力時間を、操作者が要望する出力時間となるように調整する出力時間調整手段と、
前記出力時間調整手段によって前記操作者が要望する出力時間に調整された音声を、前記所定の出力部から出力するように制御する音声出力制御手段と、
を備えたことを特徴とする医用画像診断装置。
【請求項２】
前記出力時間調整手段によって前記操作者が要望する出力時間に調整された同一指示内容を表す音声を異なる言語ごとに記憶する音声記憶手段をさらに備え、
前記音声出力制御手段は、前記操作者が要望する指示内容に対応し、かつ、前記被検体が理解可能な言語に対応する音声を、前記音声記憶手段から取得して前記所定の出力部から出力するように制御することを特徴とする請求項１に記載の医用画像診断装置。
【請求項３】
指示内容ごとの音声を記憶する音声記憶手段をさらに備え、
前記出力時間調整手段は、前記操作者が要望する指示内容に対応する音声を前記音声記憶手段から取得し、当該取得した音声の出力時間を前記操作者が要望する出力時間に調整し、
前記音声出力制御手段は、前記出力時間調整手段によって前記操作者が要望する出力時間に調整された音声を、前記所定の出力部から出力するように制御することを特徴とする請求項１に記載の医用画像診断装置。
【請求項４】
所定の出力部から出力された音声により指示を与えることで医用画像の撮影対象となる被検体の状態を制御する音声制御方法をコンピュータに実行させる音声制御プログラムであって、
前記音声が前記所定の出力部から出力された場合に要する出力時間を、操作者が要望する出力時間となるように調整する出力時間調整手順と、
前記出力時間調整手順によって前記操作者が要望する出力時間に調整された音声を、前記所定の出力部から出力するように制御する音声出力制御手順と、
をコンピュータに実行させることを特徴とする音声制御プログラム。
【発明の詳細な説明】
【技術分野】
【０００１】
この発明は、医用画像診断装置および音声制御プログラムに関する。
【背景技術】
【０００２】
従来より、Ｘ線ＣＴ装置などの医用画像診断装置により医用画像を撮影する場合、操作者が音声により、被検体に対して指示を行なうことが行なわれている。例えば、Ｘ線ＣＴ装置の操作者は、被検体の体動を抑制して関心領域の正確なＸ線ＣＴ画像を撮影する際、スキャン前に、「息を吸って止めて下さい」といった指示を行なって、息を吸って止めた状態の医用画像を撮影し、スキャン終了後に「楽にして下さい」といった指示を行なって、患者の呼吸を通常に戻したりする。
【０００３】
ここで、撮影のたびに指示を発声する操作者の負担を軽減するために、予め録音しておいた音声をスキャン間で出力することで、被検体の状態を制御する自動音声制御機能が知られている。
【０００４】
また、複数の言語ごとに指示内容を示す音声を予め記憶しておき、出力音声を被検体の理解可能な言語に切り替える自動音声制御機能も知られている（例えば、特許文献１参照）。
【０００５】
また、自動音声制御機能にて出力される音声の出力時間に基づいて、スキャンタイミングを決定するＸ線ＣＴ装置も知られている（例えば、特許文献２参照）。
【先行技術文献】
【特許文献】
【０００６】
【特許文献１】特開２０００−３４２５６３号公報
【特許文献２】特公平４−５９８９４号公報
【発明の概要】
【発明が解決しようとする課題】
【０００７】
ところで、録音しておいた音声を出力する際に、例えば、日本語で「息を吸って止めて下さい」と指示する音声を出力した場合に要する時間と、英語で「Take a breath in and hold it」と指示する音声を出力した場合に要する時間とでは、同一の指示内容であっても出力時間が異なる場合がある。例えば、日本語の場合、５秒間で音声出力が終了するのに対して、英語の場合、６秒間で音声出力が終了してしまうと、上記した従来の技術では、英語圏内の被検体に対しスキャンの開始タイミングが１秒間遅れてしまうこととなり、正確な医用画像を撮影することができない。
【０００８】
すなわち、一般的にＸ線ＣＴ装置により造影画像を撮影する際には、予備スキャンにより造影剤が関心領域に流入した時点で、本スキャンが開始される。しかし、本スキャンを開始する前に「息を吸って止めて下さい」の指示を行なう音声を出力し、音声出力が終了した時点で本スキャンを開始すると、出力する音声の言語によっては、本スキャン開始のタイミングがずれてしまうこととなる。しかし、各言語の音声を、同一の音声長にて録音しておくことは、現実的ではない。
【０００９】
また、同一言語の指示内容であっても、医用画像の撮影条件によっては、出力音声の音声長を変化させたい場合がある。例えば、呼吸同期により肺のＸ線ＣＴ画像を撮影する場合は、スキャン中に被検体の１呼吸にかかる時間を早くさせたりゆっくりさせたりしたい場合がある。被検体の１呼吸にかかる時間を調整するためには、「吸って、はいて」の音声長を、長くしたり短くしたりする必要があるが、録音されている音声長は固定されているため、適切な呼吸周期における医用画像を撮影することが困難となる。このため、同一の指示内容を、様々な音声長にて録音しておくことが必要となるが、同一の指示内容を異なる音声長ごとに録音しておくことは、現実的ではない。
【００１０】
このように、上記した従来の技術は、予め録音された音声により被検体の状態を制御しても、正確な医用画像を撮影することができない場合があるという課題があった。
【００１１】
そこで、この発明は、上述した従来技術の課題を解決するためになされたものであり、予め録音された音声により被検体の状態を的確に制御して、正確な医用画像を撮影することが可能となる医用画像診断装置および音声制御プログラムを提供することを目的とする。
【課題を解決するための手段】
【００１２】
上述した課題を解決し、目的を達成するために、請求項１記載の本発明は、所定の出力部から出力された音声により指示を与えることで被検体の状態を制御して、当該被検体の医用画像を生成する医用画像診断装置であって、前記音声が前記所定の出力部から出力された場合に要する出力時間を、操作者が要望する出力時間となるように調整する出力時間調整手段と、前記出力時間調整手段によって前記操作者が要望する出力時間に調整された音声を、前記所定の出力部から出力するように制御する音声出力制御手段と、を備えたことを特徴とする。
【００１３】
また、請求項４記載の本発明は、所定の出力部から出力された音声により指示を与えることで医用画像の撮影対象となる被検体の状態を制御する音声制御方法をコンピュータに実行させる音声制御プログラムであって、前記音声が前記所定の出力部から出力された場合に要する出力時間を、操作者が要望する出力時間となるように調整する出力時間調整手順と、前記出力時間調整手順によって前記操作者が要望する出力時間に調整された音声を、前記所定の出力部から出力するように制御する音声出力制御手順と、をコンピュータに実行させることを特徴とする。
【発明の効果】
【００１４】
請求項１または４の発明によれば、予め録音された音声により被検体の状態を的確に制御して、正確な医用画像を撮影することが可能となる。
【図面の簡単な説明】
【００１５】
【図１】図１は、実施例１におけるＸ線ＣＴ装置の構成を説明するための図である。
【図２】図２は、実施例１におけるシステム制御部の構成を説明するための図である。
【図３】図３は、実施例１における出力時間調整部を説明するための図である。
【図４】図４は、実施例１における音声データ記憶部を説明するための図である。
【図５】図５は、実施例１におけるＸ線ＣＴ装置の音声データ登録処理を説明するためのフローチャートである。
【図６】図６は、実施例１におけるＸ線ＣＴ装置の音声データ出力処理を説明するためのフローチャートである。
【図７】図７は、実施例２における出力時間調整部を説明するための図である。
【図８】図８は、実施例２におけるＸ線ＣＴ装置の音声データ出力処理を説明するためのフローチャートである。
【発明を実施するための形態】
【００１６】
以下に添付図面を参照して、この発明に係る医用画像診断装置および音声制御プログラムの実施例を詳細に説明する。なお、以下では、医用画像診断装置であるＸ線ＣＴ装置（にて、本発明に係る音声制御プログラムが実行される場合を実施例として説明する。
【実施例１】
【００１７】
まず、本実施例におけるＸ線ＣＴ装置の構成について、図１を用いて説明する。図１は、実施例１におけるＸ線ＣＴ装置の構成を説明するための図である。図１に示すように、本実施例におけるＸ線ＣＴ装置は、架台装置１０と、寝台装置２０と、コンソール装置３０とを有する。
【００１８】
架台装置１０は、被検体ＰにＸ線を照射して投影データを収集する装置であり、高電圧発生部１１と、Ｘ線管１２と、Ｘ線検出器１３と、データ収集部１４と、回転フレーム１５と、架台駆動部１６とを有する。
【００１９】
高電圧発生部１１は、Ｘ線管１２に高電圧を供給する装置であり、Ｘ線管１２は、高電圧発生部１１により供給される高電圧によりＸ線を発生する真空管である。Ｘ線検出器１３は、被検体Ｐを透過したＸ線を検出する検出器である。
【００２０】
データ収集部１４は、Ｘ線検出器１３により検出されたＸ線を用いて投影データを生成し、Ｘ線の照射方向ごとの投影データを収集するＤＡＳ（data acquisition system）であり、投影データを後述するコンソール装置３０に送信する。
【００２１】
回転フレーム１５は、高速でかつ連続的に回転する円環状のフレームであり、Ｘ線管１２とＸ線検出器１３とを被検体Ｐを挟んで対向するように支持している。架台駆動部１６は、回転フレーム１５を回転駆動させることによって、被検体Ｐを中心とした円軌道上でＸ線管１２およびＸ線検出器１３を旋回させる駆動装置である。
【００２２】
寝台装置２０は、被検体Ｐを載せる装置であり、天板２２と、寝台駆動装置２１とを有する。天板２２は、撮影時に被検体Ｐが載置される板であり、寝台駆動装置２１は、天板２２をスライス方向（Ｚ軸方向）へ移動させる装置である。
【００２３】
コンソール装置３０は、操作者によるＸ線ＣＴ装置の操作を受け付けるとともに、架台装置１０によって収集された投影データからＸ線ＣＴ画像を再構成する装置であり、入力装置３１と、出力装置３２と、スキャン制御部３３と、前処理部３４と、投影データ記憶部３５と、画像再構成処理部３６と、画像記憶部３７と、システム制御部３８とを有する。
【００２４】
入力装置３１は、マウスやキーボードやマイクなどを有し、操作者がＸ線ＣＴ装置に対する操作設定の入力に用いる装置である。
【００２５】
出力装置３２は、入力装置３１を介して操作者から各種設定を受け付けるためのＧＵＩ（Graphical  User  Interface）および後述する画像記憶部３７が記憶する画像などを表示するためのモニタや、後述する音声データ記憶部３８ｂが記憶する音声を出力するためのスピーカなどを有する装置である。
【００２６】
スキャン制御部３３は、後述するシステム制御部３８による制御のもと高電圧発生部１１、データ収集部１４、架台駆動部１６および寝台駆動装置２１の動作を制御することによって、被検体Ｐの診断対象となる関心領域へのＸ線照射や投影データの収集処理などを制御する装置である。
【００２７】
前処理部３４は、データ収集部１４が収集したＸ線の照射方向ごとの投影データに対して感度補正などの前処理を行う処理部であり、投影データ記憶部３５は、前処理部３４により前処理された投影データを記憶する記憶部である。
【００２８】
画像再構成処理部３６は、後述するシステム制御部３８による制御のもと、投影データ記憶部３５が記憶する前処理済み投影データからＸ線ＣＴ画像を再構成する処理部である。
【００２９】
画像記憶部３７は、画像再構成処理部３６により再構成されたＸ線ＣＴ画像を記憶する記憶部である。
【００３０】
システム制御部３８は、架台装置１０、寝台装置２０、コンソール装置３０および出力装置３２の動作を制御することによって、Ｘ線ＣＴ装置の全体制御を行う。具体的には、システム制御部３８は、入力装置３１を介して操作者から受け付けた各種設定に基づいて、スキャン制御部３３を制御することで、架台装置１０から投影データを収集する。また、システム制御部３８は、前処理部３４、画像再構成処理部３６を制御することで、コンソール装置３０における画像処理を制御する。また、システム制御部３８は、画像記憶部３７が記憶するＸ線ＣＴ画像を、出力装置３２のモニタに表示するように制御する。
【００３１】
また、システム制御部３８は、入力装置３１を介して操作者から受け付けた音声出力要求に基づいて、被検体Ｐの状態を制御するための各種指示内容を表す音声を出力装置３２のスピーカから出力するように制御する。
【００３２】
例えば、システム制御部３８は、造影剤が注入された被検体Ｐの造影撮影が行なわれる際には、スキャン制御部３３を制御することで、造影剤が関心領域に到達したか否かを判定するための予備スキャンと、造影像を撮影するための本スキャンを実行させる。ここで、システム制御部３８は、予備スキャンによって造影剤が関心領域に到達した時点で、一旦、被検体Ｐに息止めを行なわせる指示を表す音声を操作者の指示に基づいて出力させ、音声出力が終了した時点で本スキャンに移行するようにスキャン制御部３３を制御する。
【００３３】
このように、本実施例におけるＸ線ＣＴ装置は、出力装置３２のスピーカから出力された音声により指示を与えることで被検体Ｐの状態を制御して、被検体Ｐの関心領域におけるＸ線ＣＴ画像を撮影する。そして、本実施例におけるＸ線ＣＴ装置は、以下に説明するシステム制御部３８の処理により、予め録音された音声により被検体Ｐの状態を的確に制御して、正確なＸ線ＣＴ画像を撮影することが可能となることに主たる特徴がある。
【００３４】
以下、この主たる特徴について図２〜図４を用いて説明する。なお、図２は、実施例１におけるシステム制御部の構成を説明するための図であり、図３は、実施例１における出力時間調整部を説明するための図であり、図４は、実施例１における音声データ記憶部を説明するための図である。
【００３５】
図２に示すように、実施例１におけるシステム制御部３８は、本発明に密接に関係するものとして、出力時間調整部３８ａと、音声データ記憶部３８ｂと、音声出力制御部３８ｃとを有する。
【００３６】
出力時間調整部３８ａは、被検体Ｐに対して各種指示を行なうための音声データが出力装置３２のスピーカから出力された場合に要する出力時間を操作者が要望する出力時間となるように調整する。例えば、出力時間調整部３８ａは、音声データの波長を調整することにより、音声データの出力時間を調整する。
【００３７】
具体的には、実施例１における出力時間調整部３８ａは、同一指示内容を表す音声が異なる言語ごとに登録される際に、操作者が要望する出力時間に調整する。より具体的には、操作者は、指示内容ごとに設定時間を設定し、出力時間調整部３８ａは、各言語にて同一指示内容を表す音声データが入力された場合、入力された音声データの録音時間を取得し、取得した録音時間と操作者が設定した設定時間とが一致するように音声データを調整したうえで、音声データ記憶部３８ｂに登録する。
【００３８】
例えば、図３の（Ａ）に示すように、『「指示内容１：息止め」を表す音声データは、「設定時間：５秒間」にて登録』とする設定要求を、操作者から入力装置３１を介して受け付けた場合、出力時間調整部３８ａは、「指示内容１：息止め」を表す各言語の音声データの録音時間が「５秒間」になるように調整して、音声データ記憶部３８ｂに登録する。
【００３９】
ここで、図３の（Ｂ）に示すように、入力装置３１を介して、「指示内容１：息止め」を表す「日本語音声１：息を吸って止めてください」の音声データが「録音時間：５秒間」の状態で新規音声として入力されると、出力時間調整部３８ａは、録音時間と設定時間とが一致していることから、調整処理なしと判定して、入力された新規音声をそのまま音声データ記憶部３８ｂに登録する。なお、出力時間調整部３８ａは、録音時間と設定時間との差が所定の範囲以内（例えば、±０．２秒以内）ならば、調整処理なしと判定するように、操作者によって設定される場合であってもよい。
【００４０】
また、図３の（Ｃ）に示すように、入力装置３１を介して、「指示内容１：息止め」を表す「英語音声１：Take a breath in and hold it」の音声データが「録音時間：６秒間」の状態で新規音声として入力されると、出力時間調整部３８ａは、録音時間と設定時間とが一致していないことから、英語音声１を５秒間に短縮調整したうえで、音声データ記憶部３８ｂに登録する。
【００４１】
また、図３の（Ｄ）に示すように、入力装置３１を介して、「指示内容１：息止め」を表す「英語音声１：Take a breath in and hold it」の音声データが「録音時間：４秒間」の状態で新規音声として入力されると、出力時間調整部３８ａは、録音時間と設定時間とが一致していないことから、英語音声１を５秒間に拡張調整したうえで、音声データ記憶部３８ｂに登録する。
【００４２】
図２に戻って、音声データ記憶部３８ｂは、上記した出力時間調整部３８ａの処理により、同一指示内容ごとに、すべての言語で同一の出力時間に調整された音声データを記憶する。
【００４３】
例えば、音声データ記憶部３８ｂは、図４に示すように、指示内容「１」については、スピーカから出力された場合の出力時間がすべて設定時間「Ｔ１」に調整されている『日本語の音声データ「Ｊ１」、英語の音声データ「Ｅ１」、中国語の音声データ「Ｃ１」、韓国語の音声データ「Ｋ１」、スペイン語の音声データ「Ｓ１」』などを記憶する。
【００４４】
同様に、音声データ記憶部３８ｂは、図４に示すように、指示内容「２」については、スピーカから出力された場合の出力時間がすべて設定時間「Ｔ２」に調整されている『日本語の音声データ「Ｊ２」、英語の音声データ「Ｅ２」、中国語の音声データ「Ｃ２」、韓国語の音声データ「Ｋ２」、スペイン語の音声データ「Ｓ２」』などを記憶する。
【００４５】
図２に戻って、音声出力制御部３８ｃは、音声データ記憶部３８ｂが記憶する出力時間調整済みの音声データを出力装置３２のスピーカから出力するように制御する。具体的には、音声出力制御部３８ｃは、入力装置３１が受け付けた操作者からの音声出力指示に基づいて、操作者が要望する指示内容に対応し、かつ、被検体Ｐが理解可能な言語に対応する音声データを音声データ記憶部３８ｂから取得して出力装置３２のスピーカから出力するように制御する。
【００４６】
例えば、予備スキャンによって被検体Ｐの関心領域に造影剤が到達した時点で、アメリカ人の被検体Ｐに息止めを行なわせたい操作者が、「指示内容：１」および「言語：英語」を指定した場合、音声出力制御部３８ｃは、図４に示す音声データ記憶部３８ｂから「音声データ：Ｅ１」を取得して出力装置３２のスピーカから出力させる。
【００４７】
次に、図５および図６を用いて、実施例１におけるＸ線ＣＴ装置による処理を説明する。図５は、実施例１におけるＸ線ＣＴ装置の音声データ登録処理を説明するためのフローチャートであり、図６は、実施例１におけるＸ線ＣＴ装置の音声データ出力処理を説明するためのフローチャートである。
【００４８】
図５に示すように、実施例１におけるＸ線ＣＴ装置は、指示内容ごとの設定時間が操作者により設定されたのち、新規音声が入力装置３１を介して入力されると（ステップＳ１０１肯定）、出力時間調整部３８ａは、新規音声の録音時間が、新規音声の指示内容にて設定された設定時間であるか否かを判定する（ステップＳ１０２）。
【００４９】
ここで、新規音声の録音時間が、設定時間と一致する場合（ステップＳ１０２肯定）、出力時間調整部３８ａは、入力された音声データをそのまま音声データ記憶部３８ｂに登録して（ステップＳ１０５）、処理を終了する。
【００５０】
一方、新規音声の録音時間が、設定時間と一致しない場合（ステップＳ１０２否定）、出力時間調整部３８ａは、入力された音声データを設定時間となるように調整し（ステップＳ１０３）、調整済み音声データを音声データ記憶部３８ｂに登録して（ステップＳ１０４）、処理を終了する。
【００５１】
図５に示す手順により、音声データ記憶部３８ｂに出力時間調整済みの音声データが登録されたのち、Ｘ線ＣＴ画像の撮影が行なわれる。
【００５２】
すなわち、図６に示すように、実施例１におけるＸ線ＣＴ装置は、指示内容および言語が指定された音声出力指示が操作者から入力装置３１を介して入力されると（ステップＳ２０１肯定）、音声出力制御部３８ｃは、音声出力指示に対応する音声データを音声データ記憶部３８ｂから取得する（ステップＳ２０２）。すなわち、音声出力制御部３８ｃは、操作者が要望する指示内容に対応し、かつ、被検体Ｐが理解可能な言語に対応する音声データを音声データ記憶部３８ｂから取得する。
【００５３】
そして、音声出力制御部３８ｃは、取得した音声データを出力装置３２のスピーカから出力するように制御し（ステップＳ２０３）、処理を終了する。
【００５４】
上述してきたように、実施例１では、出力時間調整部３８ａは、同一指示内容を表す音声が異なる言語ごとに登録される際に、操作者が要望する出力時間に調整して、音声データ記憶部３８ｂに登録する。そして、音声出力制御部３８ｃは、入力装置３１が受け付けた操作者からの音声出力指示に基づいて、操作者が要望する指示内容に対応し、かつ、被検体Ｐが理解可能な言語に対応する音声データを音声データ記憶部３８ｂから取得して出力装置３２のスピーカから出力するように制御する。
【００５５】
したがって、実施例１では、操作者がＸ線ＣＴ画像を撮影する際にスピーカから出力される音声の出力時間は、常に操作者が要望する出力時間となり、例えば、造影画像の撮影時における本スキャンの開始は、出力される音声の言語が如何なる言語であってもずれることがなくなるので、上記した主たる特徴の通り、予め録音された音声により被検体Ｐの状態を的確に制御して、正確なＸ線ＣＴ画像を撮影することが可能となる。また、実施例１では、出力時間を調整した音声データを言語ごとに録音する必要がなくなるので、操作者の負担を軽減することが可能となる。
【００５６】
なお、上記では、出力時間調整部３８ａが、同一指示内容において、操作者が予め設定した時間となるように新規音声の出力時間を調整する場合について説明したが、本発明はこれに限定されるものではなく、出力時間調整部３８ａが、同一指示内容において、最初に登録された言語の音声データの録音時間となるように、他の言語の音声データの録音時間を調整する場合であってもよい。また、本発明は、出力時間調整部３８ａが、操作者が予め出力時間を調整するための基準となる言語を設定し、予め設定された言語の音声データの録音時間と一致するように、他の言語の音声データの録音時間を調整する場合であってもよい。
【実施例２】
【００５７】
上記した実施例１では、登録時に出力時間を調整する場合について説明したが、実施例２では、出力時に出力時間を調整する場合について、図７を用いて説明する。なお、図７は、実施例２における出力時間調整部を説明するための図である。
【００５８】
ここで、実施例２におけるＸ線ＣＴ装置の構成および実施例２におけるシステム制御部３８の構成は、図１および図２を用いて説明した実施例１におけるＸ線ＣＴ装置の構成および実施例１におけるシステム制御部３８の構成と同様であるが、出力時間調整部３８ａの処理が実施例１とは異なる。以下、これを中心に説明する。
【００５９】
実施例２における出力時間調整部３８ａは、操作者が要望する指示内容に対応する音声データを、音声データ記憶部３８ｂから取得し、取得した音声データの出力時間を操作者が要望する出力時間に調整する。
【００６０】
例えば、実施例２における出力時間調整部３８ａは、呼吸同期により肺のＸ線ＣＴ画像を撮影する場合に、操作者が要望する指示内容に対応する音声データの出力時間を操作者が要望する出力時間に調整する。
【００６１】
ここで、実施例２における出力時間調整部３８ａは、図７の（Ａ）に示すように、音声データ記憶部３８ｂにて入力時の録音時間のまま登録されている指示内容ごとの各言語における音声データの出力時間の調整処理を実行する。
【００６２】
まず、実施例２における出力時間調整部３８ａは、図７の（Ａ）に示すように、例えば、操作者が要望する「指示内容３：呼吸指示」に対応する日本語の音声データ「Ｊ３」を、音声データ記憶部３８ｂから取得する。
【００６３】
そして、実施例２における出力時間調整部３８ａは、図７の（Ｂ）に示すように、例えば、「指示内容３：呼吸指示」に対応する日本語の音声データ「Ｊ３」の録音時間が「３秒間」であり、操作者の設定時間が「５秒間」である場合、設定時間と録音時間とが一致しないと判定する。
【００６４】
そして、実施例２における出力時間調整部３８ａは、図７の（Ｃ）に示すように、出力時間が「３秒間」であった音声データ「Ｊ３：吸って・・・はいて」が、「５秒間」に渡ってゆっくりと出力されるように拡張調整する。
【００６５】
そして、音声出力制御部３８ｃは、出力時間調整部３８ａが音声データ記憶部３８ｂから取得して出力時間を設定時間に調整した音声データを、出力装置３２のスピーカにて出力させる。
【００６６】
なお、設定時間の入力は、操作者が入力装置３１のキーボードなどを用いて数値を入力する場合であってもよいし、操作者が入力装置３１に設置された時間調整用のつまみによって入力する場合であってもよい。
【００６７】
次に、図８を用いて、実施例２におけるＸ線ＣＴ装置による音声データ出力処理を説明する。図８は、実施例２におけるＸ線ＣＴ装置の音声データ出力処理を説明するためのフローチャートである。
【００６８】
図８に示すように、実施例２におけるＸ線ＣＴ装置は、「指示内容、言語および設定時間」が指定された音声出力指示が入力装置３１を介して入力されると（ステップＳ３０１肯定）、出力時間調整部３８ａは、音声出力指示に対応する音声データを取得する（ステップＳ３０２）。
【００６９】
そして、出力時間調整部３８ａは、取得した音声データの録音時間が音声出力指示にて設定された設定時間であるか否かを判定する（ステップＳ３０３）。
【００７０】
ここで、取得した音声データの録音時間が設定時間と一致する場合（ステップＳ３０３肯定）、出力時間調整部３８ａからの通知により、音声出力制御部３８ｃは、取得した音声データをそのまま出力装置３２のスピーカにて出力するように制御し（ステップＳ３０４）、処理を終了する。なお、出力時間調整部３８ａは、録音時間と設定時間との差が所定の範囲以内（例えば、±０．２秒以内）ならば、調整処理なしと判定するように、操作者によって設定される場合であってもよい。
【００７１】
一方、取得した音声データの録音時間が設定時間と一致しない場合（ステップＳ３０３否定）、出力時間調整部３８ａは、設定時間に音声データを調整し（ステップＳ３０５）、音声出力制御部３８ｃは、調整済み音声データを出力装置３２のスピーカにて出力するように制御し（ステップＳ３０６）、処理を終了する。
【００７２】
なお、実施例２における出力時間調整部３８ａは、実施例１において図４を用いて説明したように、出力時間が設定時間に調整されたうえで音声データ記憶部３８ｂに登録されている指示内容ごとの各言語における音声データの出力時間を、操作者が設定した設定時間に再調整する場合であってもよい。
【００７３】
上述してきたように、実施例２では、予め登録されていた音声データを出力時に操作者が要望する出力時間に自動的に調整することができ、予め録音された音声により被検体Ｐの状態を撮影時の状況に応じて的確に制御して、正確なＸ線ＣＴ画像を撮影することが可能となる。また、実施例２でも、出力時間を調整した音声データを言語ごとに録音する必要がなくなるので、操作者の負担を軽減することが可能となる。
【００７４】
なお、上記した実施例１および２では、Ｘ線ＣＴ装置にてＸ線ＣＴ画像が撮影される際に、出力時間調整済みの音声データが出力される場合について説明したが、本発明はこれに限定されるものではなく、ＭＲＩ装置にてＭＲＩ画像が撮影される際など、他の医用画像診断装置にて医用画像が撮影される際に、出力時間調整済みの音声データが出力される場合であってもよい。
【産業上の利用可能性】
【００７５】
以上のように、本発明に係る医用画像診断装置および音声制御プログラムは、音声により指示を与えることで被検体の状態を制御して、当該被検体の医用画像を生成する場合に有用であり、特に、予め録音された音声により被検体の状態を的確に制御して、正確な医用画像を撮影することに適する。
【符号の説明】
【００７６】
１０  架台装置
１１  高電圧発生部
１２  Ｘ線管
１３  Ｘ線検出器
１４  データ収集部
１５  回転フレーム
１６  架台駆動部
２０  寝台装置
２１  寝台駆動装置
２２  天板
３０  コンソール装置
３１  入力装置
３２  出力装置
３３  スキャン制御部
３４  前処理部
３５  投影データ記憶部
３６  画像再構成処理部
３７  画像記憶部
３８  システム制御部
３８ａ  出力時間調整部
３８ｂ  音声データ記憶部
３８ｃ  音声出力制御部
【図１】
2010264016.tif 000003
【図２】
2010264016.tif 000004
【図３】
2010264016.tif 000005
【図４】
2010264016.tif 000006
【図５】
2010264016.tif 000007
【図６】
2010264016.tif 000008
【図７】
2010264016.tif 000009
【図８】
2010264016.tif 000010